(57)【要約】【課題】少なくとも１つの移動体ユニットとの無線通信方法を提供すること。【解決手段】  本発明は、少なくとも１つの移動体ユニットとの無線通信方法を提供する。この方法は、少なくとも１つのチャネルおよび前記少なくとも１つのチャネルに対応する少なくとも１つのチャネル・ケーパビリティを示す情報を提供する工程を含む。  さらに、本発明は、基地局との無線通信方法を提供する。この方法は、少なくとも１つのチャネルおよび前記少なくとも１つのチャネルに対応する少なくとも１つのチャネル・ケーパビリティを示す情報を受信する工程と、少なくとも１つのチャネルおよび前記少なくとも１つのチャネルに対応する少なくとも１つのチャネル・ケーパビリティを示す情報に基いてチャネルを選択する工程とを含む。【選択図】図１
2006270968.tif 000002
【特許請求の範囲】
【請求項１】
少なくとも１つの移動体ユニットの無線通信方法であって、
少なくとも１つのチャネルおよび前記少なくとも１つのチャネルに対応する少なくとも１つのチャネル・ケーパビリティを示す情報を提供する工程を含む方法。
【請求項２】
前記少なくとも１つのチャネルおよび前記少なくとも１つのチャネル・ケーパビリティを示す情報を提供する工程が、前記少なくとも１つのチャネルおよび前記少なくとも１つのチャネルに対応する前記少なくとも１つのチャネル・ケーパビリティを示す情報を含むオーバヘッド・メッセージをブロードキャストする工程を含み、前記オーバヘッド・メッセージをブロードキャストする工程が前記少なくとも１つのチャネルを示す少なくとも１つのフィールドと前記チャネル・ケーパビリティを示す少なくとも１つのフィールドとを含むオーバヘッド・メッセージをブロードキャストする工程を含み、前記オーバヘッド・メッセージをブロードキャストする工程が少なくとも１つのブロードキャスト・チャネル上で前記オーバヘッド・メッセージをブロードキャストする工程を含む請求項１に記載の方法。
【請求項３】
少なくとも１つのチャネルおよび前記少なくとも１つのチャネルに対応する少なくとも１つのチャネル・ケーパビリティを示す情報に基いて前記移動体ユニットによって選択したチャネルを示す前記情報を受信する工程を含み、前記少なくとも１つのチャネルが複数のチャネルを含み、前記チャネルを示す前記情報を受信する工程が前記複数のチャネルから選択したチャネルを示す情報を受信する工程を含み、前記チャネルを示す前記情報を受信する工程がトラヒック・チャネルを示す情報を受信する工程を含む請求項１に記載の方法。
【請求項４】
前記選択したチャネル上で前記移動体ユニットとの無線通信を確立する工程を含む請求項３に記載の方法。
【請求項５】
基地局との無線通信方法であって、
少なくとも１つのチャネルおよび前記少なくとも１つのチャネルに対応する少なくとも１つのチャネル・ケーパビリティを示す情報を受信する工程と、
少なくとも１つのチャネルおよび前記少なくとも１つのチャネルに対応する少なくとも１つのチャネル・ケーパビリティを示す前記情報に基いてチャネルを選択する工程とを含む方法。
【請求項６】
前記少なくとも１つのチャネルおよび前記少なくとも１つのチャネル・ケーパビリティを示す前記情報を受信する工程が、前記少なくとも１つのチャネルおよび前記少なくとも１つのチャネルに対応する前記少なくとも１つのチャネル・ケーパビリティを示す前記情報を含むオーバヘッド・メッセージを受信する工程を含み、前記オーバヘッド・メッセージが前記基地局によってブロードキャストされており、前記オーバヘッド・メッセージを受信する工程が前記少なくとも１つのチャネルを示す少なくとも１つのフィールドと前記チャネル・ケーパビリティを示す少なくとも１つのフィールドとを含むオーバヘッド・メッセージを受信する工程を含み、前記オーバヘッド・メッセージを受信する工程が少なくとも１つのブロードキャスト・チャネル上で前記オーバヘッド・メッセージを受信する工程を含む請求項５に記載の方法。
【請求項７】
前記チャネルを選択する工程が前記少なくとも１つのチャネルをハッシュする工程を含む請求項５に記載の方法。
【請求項８】
前記チャネルを選択する工程が前記対応するチャネル・ケーパビリティに基いて前記少なくとも１つのチャネルをフィルタリングする工程を含み、前記チャネルを選択する工程が前記フィルタリングされたチャネルをハッシュする工程を含む請求項５に記載の方法。
【請求項９】
前記選択したチャネルを示す情報を提供する工程を含み、前記チャネルを示す前記情報を提供する工程がトラヒック・チャネルを示す情報を提供する工程を含む請求項５に記載の方法。
【請求項１０】
前記選択したチャネル上で前記基地局との無線通信リンクを確立する工程を含む請求項５に記載の方法。
【発明の詳細な説明】
【技術分野】
【０００１】
本発明は、一般に通信システムに関し、特に、無線通信システムに関する。
【背景技術】
【０００２】
無線通信システムは通常、移動体ユニットとの無線通信リンクを確立できる１つまたは複数の基地局を含む。基地局は、ノードＢまたはアクセス・ネットワークとも呼ばれ、移動体ユニットはアクセス端末またはユーザ装置とも呼ばれる。移動体ユニットの例は、携帯電話、パーソナル・データ・アシスタント、スマートホン、テキスト・メッセージング・デバイス、ラップトップ・コンピュータ、デスクトップ・コンピュータなどを含む。移動体ユニットと基地局との間に無線通信リンクを形成する場合、移動体ユニットは基地局からブロードキャストされるオーバヘッド・メッセージ内の利用可能なチャネル（または搬送波）のリストにアクセスする。移動体ユニットはチャネル・リストにハッシュ・アルゴリズムを適用してチャネルの１つを無線通信リンクの搬送波チャネルとして選択する。移動体ユニットがチャネルを選択すると、移動体ユニットは選択したチャネルを用いて無線通信リンクを形成する要求を基地局に送信できる。
【発明の開示】
【発明が解決しようとする課題】
【０００３】
基地局は異なるケーパビリティを有するチャネルを提供できる。例えば、先進データ最適化（ＥＶＤＯ）ネットワーク内の基地局は、ＥＶＤＯレビジョン０プロトコル、ＥＶＤＯレビジョンＡプロトコル、またはその両方に従って動作するチャネルを提供できる。ＥＶＤＯレビジョンＡプロトコルは、ＥＶＤＯレビジョン０プロトコルの拡張版であり、ＥＶＤＯレビジョンＡに従って動作するトラヒック・チャネル、制御チャネル、およびアクセス・チャネルへのいくつかのインタフェースの拡張ケーパビリティを提供する。ＥＶＤＯレビジョン０プロトコルに従って動作するレガシー移動体ユニットは、ＥＶＤＯレビジョン０プロトコルに従って動作するチャネルの１つを用いて基地局との無線通信リンクを確立することができる。ＥＶＤＯレビジョン０プロトコルまたはＥＶＤＯレビジョンＡプロトコルに従って無線通信リンクを確立することができる新しい移動体ユニットもある。
【０００４】
ただし、従来の基地局が提供するチャネル・リストは各チャネルに対応するケーパビリティを示していない。例えば、従来のチャネル・リストはリスト内のチャネルがＥＶＤＯレビジョン０プロトコルまたはＥＶＤＯレビジョンＡプロトコルに準拠する無線通信リンクをサポートできるか否かを示していない。したがって、従来の移動体ユニットが従来のチャネル・リストをハッシュしてチャネルを選択しようとすると、チャネルはそのチャネル・ケーパビリティと関係なく選択されてしまう。例えば、ＥＶＤＯレビジョンＡをサポートする移動体ユニットはＥＶＤＯレビジョン０に従って動作するチャネルを選択でき、したがって、ＥＶＤＯレビジョンＡに従って操作するチャネルが利用可能であってもＥＶＤＯレビジョンＡ無線インタフェース拡張ケーパビリティを利用できないことがある。別の例では、ＥＶＤＯレビジョン０をサポートする移動体ユニットは、ＥＶＤＯレビジョンＡに従って動作するチャネルを用いて無線通信リンクを確立でき、ＥＶＤＯレビジョンＡ移動体ユニットからそのチャネルが提供するＥＶＤＯレビジョンＡ無線インタフェース拡張ケーパビリティを奪う可能性がある。
本発明は上記の問題の１つ以上の影響に取り組むことを対象とする。
【課題を解決するための手段】
【０００５】
以下に、本発明の基本的な理解を提供するために本発明を簡潔に概説する。この概要は本発明の網羅的な概要ではない。これは本発明の主要な、またはきわめて重要な要素を識別するものでなく、また本発明の範囲を示すものでもない。その唯一の目的は、後述の詳細な説明への序論として簡単な形式でいくつかの概念を説明することにある。
【０００６】
本発明の一実施形態では、少なくとも１つの移動体ユニットとの無線通信方法が提供される。この方法は、少なくとも１つのチャネルおよび前記少なくとも１つのチャネルに対応する少なくとも１つのチャネル・ケーパビリティを示す情報を提供する工程を含む。
【０００７】
本発明の一実施形態では、基地局との無線通信方法が提供される。この方法は、少なくとも１つのチャネルおよび前記少なくとも１つのチャネルに対応する少なくとも１つのチャネル・ケーパビリティを示す情報を受信する工程と、少なくとも１つのチャネルおよび前記少なくとも１つのチャネルに対応する少なくとも１つのチャネル・ケーパビリティを示す情報に基いてチャネルを選択する工程とを含む。
【０００８】
本発明は、同様の符号が同様の要素を識別する添付図面を参照しながら以下の説明を読むことで理解できよう。
本発明は様々に変更でき、代替形態が可能であるが、本発明の特定の実施形態は図中に例示されており、本明細書では詳述しない。ただし、本明細書中の特定の実施形態の説明は本発明を開示した形態に限定するものではなく、逆に、添付の特許請求の範囲に記載する本発明の精神および範囲を逸脱しないすべての変形形態、均等形態、および代替形態を含むものである。
【発明を実施するための最良の形態】
【０００９】
本発明の実施例について以下に説明する。話を分かりやすくするために、本明細書では実際の実施形態のすべての特徴について説明しているわけではない。そのような実際の実施形態を開発する際に、実施形態によって異なるシステム関連およびビジネス関連の制約への適合などの開発者の特定の目標を達成するために数多くの実施形態固有の決定をしなければならない。さらに、そのような開発努力は複雑で時間がかかることがあるが、それにもかかわらず、本開示の利益を享受する当業者にとっては日常的な作業であろう。
【００１０】
本発明の一部とそれに対応する詳細な説明をソフトウェア、またはアルゴリズムおよびコンピュータ・メモリ内のデータ・ビット上の動作を表す符号表現によって示す。これらの説明および表現は、当業者が他の当業者に作業内容を効果的に伝えるためのものである。本明細書で使用するアルゴリズムと言う用語は、一般的な使用例と同様、所望の結果に至る工程の一貫したシーケンスである。これらの工程は物理的な量の物理的な操作を必要とする工程である。必ずしもそうではないが、普通、これらの量は、記憶、転送、結合、比較、およびその他の操作が可能な光、電気、または磁気信号の形態をとる。これらの信号をビット、値、要素、符号、文字、項、数字などと呼ぶことは一般の用例からして便利なことがある。
【００１１】
ただし、上記およびそれと同様の用語は適当な物理量と対応させなければならず、これらの量に貼られる便利なラベルにすぎない。特に断りのない限り、または説明から明らかなように、「処理」または「演算」または「計算」または「決定」または「表示」などの用語は、コンピュータ・システム、またはコンピュータ・システムのレジスタおよびメモリ内の物理的電子量として表されるデータを操作してコンピュータ・システムのレジスタおよびメモリ内の物理量として同様に表される他のデータに変換する同様の電子計算デバイスまたは、他の情報記憶、送信または表示装置の動作およびプロセスを指す。
【００１２】
また、本発明のソフトウェアで実施される態様は、通常、何らかの形式のプログラム記憶媒体として符号化されるかまたは何らかのタイプの伝送媒体上で実施される。プログラム記憶媒体は、磁気媒体（例えば、フロッピー（登録商標）・ディスクまたはハード・ドライブ）または光媒体（例えば、コンパクト・ディスク読み出し専用メモリ、すなわち、「ＣＤ−ＲＯＭ」）であり、読み出し専用またはランダム・アクセス方式である。同様に伝送媒体は、対撚り線、同軸ケーブル、光ファイバ、または当技術分野で知られているその他の適した伝送媒体でよい。本発明はいかなる所与の実施形態の上記態様によっても限定されることはない。
【００１３】
添付図面を参照しながら本発明について説明する。例示的な目的でのみ、また当業者にはよく知られている詳細内容によって本発明を分かりにくくしないために、さまざまな構造、システムおよび装置の概略を図面に示している。ただし、添付図面は本発明の実施例を説明し描写するために含まれる。本明細書で使用する単語および語句は、当業者によるそれらの単語および語句の理解と一致する意味を有するものと理解し解釈しなければならない。用語または語句の特別の定義、すなわち、当業者が理解する通常の慣例的な意味と異なる定義が、本明細書の用語または語句の一貫した使用によって生じることはない。用語または語句が特別の意味、すなわち、当業者が理解する意味以外の意味を有する場合には、そのような特定の定義は、その用語または語句の特別の定義を直接また明瞭に提供する定義方法で本明細書内で明示的に示す。
【００１４】
図１を参照すると、無線通信システム１００の実施例が示されている。図示の実施形態では、無線通信システム１００は、１つまたは複数の移動体ユニット１１５（１〜２）との間に１つまたは複数の無線通信リンク１１０（１〜２）を形成できるマルチケーパビリティ基地局１０５を含む。例示の移動体ユニットは、携帯電話、パーソナル・データ・アシスタント、スマートホン、テキスト・メッセージング・デバイス、ラップトップ・コンピュータ、デスクトップ、コンピュータなどを含む。図１には１つのマルチケーパビリティ基地局１０５と２つの移動体ユニット１１５（１〜２）とが示されているが、本発明はこの実施例に限定されないことは当業者には明らかであろう。別の実施形態では、任意の所望の数の基地局１０５および／または移動体ユニット１１５を使用できる。例えば、無線通信システム１００は、１つまたは複数の地理領域またはセル内の移動体ユニット１１５にサービスを提供するいくつかのマルチケーパビリティ基地局１０５を含むことができる。別の例として、無線通信システム１００は、各々が異なるケーパビリティを使用するある地理領域内の移動体ユニット１１５への無線接続機能を提供できる複数のシングルケーパビリティ基地局１０５を含むことができる。
【００１５】
本明細書で使用する「ケーパビリティ」という用語は、無線通信リンク１１０（１〜２）を形成するために用いる１つまたは複数のプロトコルと、基地局１０５から移動体ユニット１１５（１〜２）に提供できる様々な機能を指す。例えば、マルチケーパビリティ基地局１０５は、普通、先進データ最適化（ＥＶＤＯ）レビジョン０プロトコルと呼ばれる符号分割多重アクセス２０００（ＣＤＭＡ２０００）プロトコルのバージョンに従う移動体ユニット１１５（１〜２）との無線通信リンク１１０（１〜２）を形成できる。マルチケーパビリティ基地局１０５は、普通ＥＶＤＯレビジョンＡと呼ばれる先進データ最適化（ＥＶＤＯ）プロトコルの拡張版に従う移動体ユニット１１５（１〜２）との無線通信リンク１１０（１〜２）を形成することもできる。拡張版のＥＶＤＯレビジョンＡは拡張制御および／またはアクセス・チャネルなどの拡張機能を提供できる。ただし、本発明の開示の利益を享受する当業者は本発明がＥＶＤＯレビジョン０およびＡに限定されないことを理解するであろう。別の実施形態では、マルチケーパビリティ基地局１０５は異なるケーパビリティおよび／または追加のケーパビリティを使用できる。
【００１６】
図示の実施形態では、移動体ユニット１１５（１）は、マルチケーパビリティ基地局１０５の第１のケーパビリティを用いて無線通信リンク１１０（１）を形成することしかできない。例えば、移動体ユニット１１５（１）は、ＥＶＤＯレビジョン０に従って無線通信リンク１１０（１）を形成することしかできない。ＥＶＤＯレビジョン０はＥＶＤＯプロトコルの初期バージョンであるため、移動体ユニット１１５（１）はレガシー・デバイスと呼ぶことができる。これと対照的に、図１に示す移動体ユニット１１５（２）は、マルチケーパビリティ基地局１０５の第１のケーパビリティおよび１つまたは複数の追加のケーパビリティを用いて無線通信リンク１１０（２）を形成することができる。例えば、移動体ユニット１１５（２）は、ＥＶＤＯレビジョン０プロトコルまたはＥＶＤＯレビジョンＡプロトコルを用いて無線通信リンク１１０（２）を形成することができる。
【００１７】
マルチケーパビリティ基地局１０５は複数のチャネル上で無線通信リンク１１０（１〜２）を形成できる。チャネルは異なるチャネル周波数に対応付けることができる。一実施形態では、複数のチャネルの一部がマルチケーパビリティ基地局１０５の１つのケーパビリティに対応する。例えば、マルチケーパビリティ基地局１０５は、１つまたは複数のトラヒック・チャネルを含むチャネルの第１の部分上でＥＶＤＯレビジョン０を用いて無線通信リンク１１０（１〜２）を確立できる。複数のチャネルの別の部分はマルチケーパビリティ基地局１０５の別のケーパビリティに対応する。例えば、マルチケーパビリティ基地局１０５は、１つまたは複数のトラヒック・チャネルを含むチャネルの第２の部分上でＥＶＤＯレビジョンＡを用いて無線通信リンク１１０（１〜２）を確立できる。
【００１８】
動作時には、マルチケーパビリティ基地局１０５は利用可能なチャネルと各チャネルに対応するチャネル・ケーパビリティを示す情報を提供する。例えば、マルチケーパビリティ基地局１０５はブロードキャスト・チャネル上で利用可能なチャネルとそれに対応するチャネル・ケーパビリティを示すオーバヘッド・メッセージを含む信号をブロードキャストできる。移動体ユニット１１５（１〜２）は提供された情報にアクセスしてこの情報を使用し、無線通信リンク１１０（１〜２）に使用するチャネルの１つを選択できる。これについて以下に詳述する。次いで選択したチャネルを用いて無線通信リンク１１０（１〜２）を形成できる。
【００１９】
図２Ａは、利用可能なチャネルとそれに対応するチャネル・ケーパビリティを示すために使用することができるメッセージ２００の部分の第１の実施例の概念図である。図示の実施形態では、メッセージ２００は基地局がブロードキャストできるオーバヘッド・メッセージ２００である。メッセージ２００は利用可能なチャネルを示す情報を含む１つまたは複数のフィールド２０５を含む。例えば、フィールド２０５はチャネル番号、チャネル周波数などを含むことができる。また、メッセージ２００は、対応するチャネル・ケーパビリティを示す情報を含む１つまたは複数のフィールド２１０を含むことができる。例えば、フィールド２１０は、ＥＶＤＯレビジョン０を示すために０にセットし、ＥＶＤＯレビジョンＡを示すために１にセットできる単一のビットを含むことができる。ただし、別の実施形態では、フィールド２１０は追加のケーパビリティを示す追加ビットを含むことができる。第１の実施例では、各フィールド２１０が隣接フィールド２０５内の情報が示すチャネルのケーパビリティを示す情報を含むように各フィールド２０５、２１０はインタリーブされている。
【００２０】
図２Ｂは、利用可能なチャネルとそれに対応するチャネル・ケーパビリティを示すために使用することができるメッセージ２２０の部分の第２の実施例の概念図である。図示の実施形態では、メッセージ２２０は基地局がブロードキャストできるオーバヘッド・メッセージ２２０である。メッセージ２２０は利用可能なチャネルを示す情報、例えば、チャネル番号、チャネル周波数などを含む１つまたは複数のフィールド２２５を含む。また、メッセージ２２０は、上記のように、対応するチャネル・ケーパビリティを示す情報を含むための１つまたは複数のフィールド２３０を含むことができる。第２の実施例では、利用可能なチャネルを示すフィールド２２５がチャネル・ケーパビリティを示すフィールド２３０の前に提供される。
【００２１】
図３は、チャネル・ケーパビリティに基いてチャネルを選択する方法３００の一実施例を示す概念図である。図示の実施形態では、チャネルとそれに対応するケーパビリティのリストが提供される（３０５で）。例えば、表１に示す利用可能なチャネルとそれに対応するケーパビリティを示す情報が提供できる（３０５で）。表１に示す実施形態では、チャネル・ケーパビリティ行のエントリによって示されるように、チャネル番号１はチャネル周波数υ１を使用し、ＥＶＤＯレビジョン０を用いて無線通信リンクを形成することができる。チャネル番号２はチャネル周波数υ２を使用し、ＥＶＤＯレビジョンＡを用いて無線通信リンクを形成することができ、チャネル番号３はチャネル周波数υ３を使用し、ＥＶＤＯレビジョンＡを用いて無線通信リンクを形成することができる。一実施形態では、表１内のエントリが示す情報を含むオーバヘッド・メッセージが提供できる（３０５で）。
【表１】
2006270968.tif 000003
【００２２】
１つまたは複数の移動体ユニットは、対応するケーパビリティ内のチャネル・リストを（３１０で）受信することができる。例えば、移動体ユニットは、移動体ユニットが無線通信リンクを起動しようとする時にブロードキャスト・チャネル上に提供されるオーバヘッド・メッセージを（３１０で）受信することができる。一実施形態では、チャネル・リストはチャネル・ケーパビリティに基いて（３１５で）フィルタリングされる。例えば、移動体ユニットがＥＶＤＯレビジョンＡを使用できる場合、移動体ユニットはチャネル・リストを（３１５で）フィルタリングして、同様にＥＶＤＯレビジョンＡを使用できるチャネル・リストからチャネルを選択できる。ただし、フィルタリング（３１５の）は任意選択の工程であり、本発明のある実施形態では含めてはならないことは当業者には明らかであろう。
【００２３】
次いで、チャネル・ケーパビリティに基いてチャネル・リストを（３２０で）ハッシュできる。一実施形態では、フィルタリングされたチャネル・リストを（３２０で）ハッシュできる。あるいは、ハッシング・アルゴリズムは、移動体ユニットおよび／または基地局に対応するチャネル・ケーパビリティを有するチャネルへのハッシング・バイアスの程度を決定する（構成可能な）ハッシング・バイアスを含むことができる。例えば、移動体ユニットがＥＶＤＯレビジョンＡを使用できる場合、移動体ユニットは、同様にＥＶＤＯレビジョンＡを使用できるチャネルに対してハッシュを偏らせるハッシング・バイアスを用いてチャネルを（３２０で）ハッシュできる。様々な別の実施形態では、ハッシング・バイアスは、オーバヘッド・メッセージ内に含めることができる暗黙的および／または明示的な優先パラメータを用いて決定できる。
【００２４】
次いで、ハッシュされたチャネル・リストに基いてチャネル・リストからチャネルが（３２５で）選択される。一実施形態では、チャネルは移動体ユニットおよび／または基地局について決定される規則に基いて（３２５で）選択される。例えば、移動体ユニットがＥＶＤＯレビジョンＡを使用できる場合、移動体ユニットは、移動体ユニットに対し同様にＥＶＤＯレビジョンＡを使用できるチャネルを（３２５で）選択することを要求する規則を実行することができる。ただし、本発明はいかなる特定のチャネル選択をも必要としないことは当業者には明らかであろう。例えば、移動体ユニットがＥＶＤＯレビジョンＡを使用できるが、ＥＶＤＯレビジョンＡチャネルが利用可能でない場合、移動体ユニットはＥＶＤＯレビジョン０を使用するチャネルを（３２５で）選択できる。
【００２５】
選択したチャネルは、例えば、基地局に（３３０で）提供できる。一実施形態では、選択したチャネルの表示がアクセス・チャネル上で基地局に（３３０で）提供できる。次いで、選択したチャネルを用いて無線通信リンクを（３３５で）確立できる。例えば、選択したトラヒック・チャネル上で移動体ユニットと基地局との間の無線通信リンクを（３３５で）確立できる。
【００２６】
移動体ユニットと基地局との間の無線通信リンクのためのチャネルを選択するために使用することができる利用可能なチャネルのケーパビリティの表示を提供することで無線通信ネットワークの動作を向上させることができる。一実施形態では、基地局によって提供されるすべての機能を移動体ユニットが利用できる尤度を、より少ない機能を提供する基地局のケーパビリティに従って基地局との無線通信リンクを移動体ユニットが形成できる確率を減らすことで上げることができる。例えば、ＥＶＤＯレビジョンＡに従って動作できる移動体ユニットは、チャネル・ケーパビリティを用いて、同様にＥＶＤＯレビジョンＡに従って動作するチャネルを選択でき、それによって、移動体ユニットはＥＶＤＯレビジョンＡが提供する拡張機能を利用できる。Ｖｏｉｃｅ  ｏｖｅｒ  Ｉｎｔｅｒｎｅｔプロトコル（ＶｏＩＰ）、Ｐｕｓｈ−ｔｏ−Ｔａｌｋ（ＰＴＴ）などの待ち時間に影響されるアプリケーションのパフォーマンスはチャネル・ケーパビリティを用いて適当なチャネルを選択することで改善できる。特に、待ち時間に影響されるアプリケーションの呼設定のパフォーマンスは、これらのアプリケーションがＥＶＤＯレビジョンＡによって提供される拡張アクセス／制御チャネル機能を使用できる尤度を増加させることで改善できる。
【００２７】
無線通信システムの開発の複雑さはいくつかの点で低減できる。例えば、様々なチャネルのケーパビリティの表示が移動体ユニットに提供されるので、基地局はＥＶＤＯレビジョン０とＥＶＤＯレビジョンＡのアプリケーションを単に共存させることでグレードアップが可能で、それによって、新しいハードウェアおよび／またはソフトウェアの必要性を低減させる。さらに、多数の搬送波間のトラヒック割り当てを実施する必要がないので、基地局と移動体ユニットとのケーパビリティの不適合に起因する搬送波間のトラヒック割り当ての待ち時間も低減される。搬送波間のトラヒック割り当てに関連する呼ドロップ率も低減できる。
【００２８】
上に開示した特定の実施形態は例示的なものにすぎない。本発明は本明細書の教示の利益を享受する当業者には明らかな、別の均等の方法で変更し実施することができるからである。さらに、特許請求の範囲の記載を除き、本明細書に示す構成または設計の詳細に限定されないものとする。したがって、上に開示した特定の実施形態は修正または変更が可能であり、そのような変形形態は本発明の範囲と精神を逸脱しないと考えられる。したがって、本明細書で追求する保護は特許請求の範囲に記載する通りである。
【図面の簡単な説明】
【００２９】
【図１】本発明の無線通信システムの一実施例を示す図である。
【図２Ａ】本発明の利用可能なチャネルとそれに対応するチャネル・ケーパビリティを示すためのメッセージの第１の実施例を示す図である。
【図２Ｂ】本発明の利用可能なチャネルとそれに対応するチャネル・ケーパビリティを示すためのメッセージの第２の実施例を示す図である。
【図３】本発明のチャネル・ケーパビリティに基いてチャネルを選択する方法の一実施例の概念図である。
【図１】
2006270968.tif 000004
【図２Ａ】
2006270968.tif 000005
【図２Ｂ】
2006270968.tif 000006
【図３】
2006270968.tif 000007